(57)【要約】【課題】簡単に陳列状態とすることができる陳列台を提供する。【解決手段】陳列台１は、筒形状の外筒部材１０と、物品を保持可能な保持部２０ａを備えて少なくとも一部が外筒部材１０の内部に配置されており、外筒部材１０の筒形状の延在方向に沿って移動可能な内挿部材２０と、内挿部材２０に下方から当接して内挿部材２０の接地面からの高さを決める当接部材としての梱包部材３０と、内挿部材２０が外筒部材１０の内部から所定位置以上突出しないように位置を規制する位置規制部（１１ｂ、２４）とを備える。【選択図】図１
2020192111.tif 000002
【特許請求の範囲】
【請求項１】
筒形状の外筒部材と、
物品を保持可能な保持部を備えて少なくとも一部が前記外筒部材の内部に配置されており、前記外筒部材の筒形状の延在方向に沿って移動可能な内挿部材と、
前記内挿部材に下方から当接して前記内挿部材の接地面からの高さを決める当接部材と、
前記内挿部材が前記外筒部材の内部から所定位置以上移動しないように位置を規制する位置規制部と、
を備える陳列台。
【請求項２】
請求項１に記載の陳列台において、
前記内挿部材を前記外筒部材の内部に収容した状態で前記外筒部材及び前記内挿部材を梱包する梱包部材をさらに備え、
前記梱包部材は、前記外筒部材及び前記内挿部材を収容していない状態で変形されることにより、前記当接部材として機能すること、
を特徴とする陳列台。
【請求項３】
請求項２に記載の陳列台において、
前記梱包部材は、シート状、又は、板状の部材により構成されており、
前記外筒部材及び前記内挿部材を出し入れ可能な開口部を開閉可能とするフラップを備え、
前記フラップを前記梱包部材の側壁に保持するフラップ保持部を備えること、
を特徴とする陳列台。
【請求項４】
請求項１から請求項３までのいずれかに記載の陳列台において、
前記外筒部材は、シート状、又は、板状の部材により構成されており、
前記外筒部材は、上端の少なくとも一部が筒形状の内部側へ折り返された折り返し片を有しており、
前記外筒部材の内側には、前記折り返し片と隣接して配置され、前記折り返し片の厚みと同等な厚みのガイド部材が設けられていること、
を特徴とする陳列台。
【請求項５】
請求項１から請求項４までのいずれかに記載の陳列台において、
前記内挿部材は、前記外筒部材よりも高さ方向の寸法が小さく構成されており、
前記内挿部材が前記外筒部材の下方に位置することにより前記保持部の上方に物品を保持可能な空間を構成した収納状態となり、
前記当接部材が前記内挿部材に当接して前記内挿部材が前記外筒部材の上方に移動させられることにより、前記保持部に保持された物品が陳列される陳列状態となること、
を特徴とする陳列台。
【請求項６】
請求項１から請求項５までのいずれかに記載の陳列台において、
前記内挿部材は、前記保持部の下方に配置された梁部を備え、
前記当接部材は、前記梁部に当接すること、
を特徴とする陳列台。
【発明の詳細な説明】
【技術分野】
【０００１】
本発明は、商品等の陳列に利用可能な陳列台に関するものである。
【背景技術】
【０００２】
従来から、新商品の販売促進を目的として、店頭における顧客の商品購入の動機付けに、ＰＯＰ（購買時点）広告等が印刷された即席の陳列台が使用されている。
例えば、特許文献１には、複数の部材を組み合わせた組立式展示台が開示されている。しかし、特許文献１のような構成では、店舗スタッフ等が組立式展示台の組み立てを行うので、作業が煩雑であり、忙しい店舗では利用されないおそれもあった。
【先行技術文献】
【特許文献】
【０００３】
【特許文献１】特開２０１１−３６４号公報
【発明の概要】
【発明が解決しようとする課題】
【０００４】
本発明の課題は、簡単に陳列状態とすることができる陳列台を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
【０００６】
第１の発明は、筒形状の外筒部材（１０）と、物品を保持可能な保持部（２０ａ）を備えて少なくとも一部が前記外筒部材（１０）の内部に配置されており、前記外筒部材（１０）の筒形状の延在方向に沿って移動可能な内挿部材（２０）と、前記内挿部材（２０）に下方から当接して前記内挿部材（２０）の接地面からの高さを決める当接部材（３０、６０）と、前記内挿部材（２０）が前記外筒部材（１０）の内部から所定位置以上移動しないように位置を規制する位置規制部（１１ｂ、２４）と、を備える陳列台（１、１Ｂ）である。
【０００７】
第２の発明は、第１の発明に記載の陳列台（１）において、前記内挿部材（２０）を前記外筒部材（１０）の内部に収容した状態で前記外筒部材（１０）及び前記内挿部材（２０）を梱包する梱包部材（３０）をさらに備え、前記梱包部材（３０）は、前記外筒部材（１０）及び前記内挿部材（２０）を収容していない状態で変形されることにより、前記当接部材（３０）として機能すること、を特徴とする陳列台（１）である。
【０００８】
第３の発明は、第２の発明に記載の陳列台（１）において、前記梱包部材（３０）は、シート状、又は、板状の部材により構成されており、前記外筒部材（１０）及び前記内挿部材（２０）を出し入れ可能な開口部を開閉可能とするフラップ（３１、３４）を備え、前記フラップ（３１、３４）を前記梱包部材（３０）の側壁に保持するフラップ保持部（３２、３３、３５、３６）を備えること、を特徴とする陳列台（１）である。
【０００９】
第４の発明は、第１の発明から第３の発明までのいずれかに記載の陳列台（１、１Ｂ）において、前記外筒部材（１０）は、シート状、又は、板状の部材により構成されており、前記外筒部材（１０）は、上端の少なくとも一部が筒形状の内部側へ折り返された折り返し片（１１ａ、１１ｂ、１２ａ）を有しており、前記外筒部材（１０）の内側には、前記折り返し片（１１ａ、１１ｂ、１２ａ）と隣接して配置され、前記折り返し片（１１ａ、１１ｂ、１２ａ）の厚みと同等な厚みのガイド部材（１３、１４）が設けられていること、を特徴とする陳列台（１、１Ｂ）である。
【００１０】
第５の発明は、第１の発明から第４の発明までのいずれかに記載の陳列台（１、１Ｂ）において、前記内挿部材（２０）は、前記外筒部材（１０）よりも高さ方向の寸法が小さく構成されており、前記内挿部材（２０）が前記外筒部材（１０）の下方に位置することにより前記保持部（２０ａ）の上方に物品を保持可能な空間を構成した収納状態となり、前記当接部材（３０、６０）が前記内挿部材（２０）に当接して前記内挿部材（２０）が前記外筒部材（１０）の上方に移動させられることにより、前記保持部（２０ａ）に保持された物品が陳列される陳列状態となること、を特徴とする陳列台（１、１Ｂ）である。
【００１１】
第６の発明は、第１の発明から第５の発明までのいずれかに記載の陳列台（１、１Ｂ）において、前記内挿部材（２０）は、前記保持部（２０ａ）の下方に配置された梁部（２３）を備え、前記当接部材（３０、６０）は、前記梁部（２３）に当接すること、を特徴とする陳列台（１、１Ｂ）である。
【発明の効果】
【００１２】
本発明によれば、簡単に陳列状態とすることができる陳列台を提供することができる。
【図面の簡単な説明】
【００１３】
【図１】本発明による陳列台１の第１実施形態を陳列状態で示す斜視図である。
【図２】陳列台１の梱包状態を示す斜視図である。
【図３】梱包部材３０を開封した状態を示す斜視図である。
【図４】梱包部材３０から梱包されていた外筒部材１０と、内挿部材２０と、陳列補助部材４０と、商品とを取り出した状態を示す斜視図である。
【図５】上側フラップ３１と下側フラップ３４とを折り畳んだ状態を示す斜視図である。
【図６】梱包部材３０を折り曲げて当接部材として機能することができる形態に変形した状態を示す斜視図である。
【図７】梱包部材３０を当接部材として利用して内挿部材２０を押し出す過程を示す斜視図である。
【図８】梱包部材３０を当接部材として利用して内挿部材２０を押し出す過程を示す斜視図である。
【図９】図１に示す陳列状態から、陳列補助部材４０を取り外した状態を示す斜視図である。
【図１０】外筒部材１０を示す斜視図である。
【図１１】外筒部材１０の展開図を筒形状の内側から見た図である。
【図１２】内挿部材２０を示す斜視図である。
【図１３】内挿部材２０を斜め下方から見上げた斜視図である。
【図１４】内挿部材２０を構成する部材を分解して斜め後方から見た分解斜視図である。
【図１５】外筒部材１０と内挿部材２０とを右側から見た図である。
【図１６】梱包部材３０の展開図を内面側から見た図である。
【図１７】第２実施形態の陳列台１Ｂについて、梱包部材５０を開封した状態で示す斜視図である。
【図１８】第２実施形態の陳列台１Ｂについて、梱包部材５０に梱包されていた部材と取り出した状態を示す斜視図である。
【図１９】当接部材６０の組み立て前の状態を示す斜視図である。
【図２０】当接部材６０を組み立てた状態を示す斜視図である。
【図２１】当接部材６０が内挿部材２０を押し出す過程を示す斜視図である。
【発明を実施するための形態】
【００１４】
以下、本発明を実施するための最良の形態について図面等を参照して説明する。
【００１５】
（第１実施形態）
図１は、本発明による陳列台１の第１実施形態を陳列状態で示す斜視図である。
図２は、陳列台１の梱包状態を示す斜視図である。
なお、図１及び図２を含め、以下に示す各図は、模式的に示した図であり、各部の大きさ、形状は、理解を容易にするために、適宜誇張又は省略して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の機能を奏し、平行や直交と見なせる程度の誤差を有する状態も含むものとする。
本明細書において、板、シート等の言葉を使用しているが、これらは、一般的な使い方として、厚さの厚い順に、板、シートの順で使用されており、本明細書中でもそれに倣って使用している。しかし、このような使い分けには、技術的な意味は無いので、これらの文言は、適宜置き換えることができるものとする。
また、本明細書において、上、下、前、後、左、右といった方向を示す文言を説明の便宜上用いるが、これは、陳列台を水平な床面等に通常の置き方で設置した場合の鉛直方向の上下を上下方向とし、通常想定される使い方において前側となる方向を前として、図中に矢印で示した方向を示すものとする。よって、配送時に横置きになったような場合には、当然ながら、例えば、上下の向きは鉛直方向に沿った方向とはならない。また、陳列台の使用形態をこれら上、下、前、後、左、右といった向きで限定するものではない。
【００１６】
陳列台１の各部の構成及び機能の理解を容易にするために、先ず、陳列台１の使用方法、より具体的には、梱包状態から陳列状態への変形作業について説明し、その後に、各部材の詳細な説明を行う。
図１に示す陳列状態では、陳列台１は、外筒部材１０と、内挿部材２０と、陳列補助部材４０とが見えている。陳列台１は、図１に示す陳列状態で、商品等の物品の陳列を行う。また、図２に示すように、陳列台１は、梱包部材３０の内部にすべてが梱包された梱包状態で配送可能である。そして、図２の梱包状態から、簡単な作業によって図１に示す陳列状態とすることができる。
【００１７】
図３は、梱包部材３０を開封した状態を示す斜視図である。
図２に示す梱包状態から、梱包部材３０の上側フラップ３１を開けて開封すると、梱包部材３０の内部には、外筒部材１０と、内挿部材２０と、陳列補助部材４０と、商品が入っている。なお、図３及び後述する図４では、内挿部材２０は、外筒部材１０に隠れて見えていない。また、図１及び図３も含めて、以下に示す各図では、陳列台１の形状を見やすくするために、商品の図示は省略するが、陳列補助部材４０の上に商品が保持されているものとする。
【００１８】
図４は、梱包部材３０から梱包されていた外筒部材１０と、内挿部材２０と、陳列補助部材４０と、商品（不図示）とを取り出した状態を示す斜視図である。
上側フラップ３１の内面には、面ファスナー３２が貼り付けられており、この面ファスナーと接合する面ファスナー３３が梱包部材３０の側壁の内側に貼り付けられている。面ファスナー３２及び面ファスナー３３は、上側フラップ３１を梱包部材３０の側壁に保持するフラップ保持部を構成している。
【００１９】
図５は、上側フラップ３１と下側フラップ３４とを折り畳んだ状態を示す斜視図である。
空になった梱包部材３０は、下側フラップ３４についても開封して、図５に示すように上側フラップ３１と下側フラップ３４とを側壁に沿うように内側へ折り畳む。このとき、上側フラップ３１は、面ファスナー３２と面ファスナー３３との接合によって、その位置が保持される。これと同様に、下側フラップ３４についても、後述する面ファスナー３５と面ファスナー３６との接合によって、その位置が保持される。これらの作業によって、梱包部材３０は、上方から見て貫通した略四角形の筒形状となる。
【００２０】
図６は、梱包部材３０を折り曲げて当接部材として機能することができる形態に変形した状態を示す斜視図である。
図５の状態から、梱包部材３０の４つの側壁の略中央を折り曲げて、図６に示すような上方から見て略星形の筒形状に変形させる。
【００２１】
図７及び図８は、梱包部材３０を当接部材として利用して内挿部材２０を押し出す過程を示す斜視図である。
梱包部材３０を図６のように変形させることにより、外筒部材１０の内部に変形した梱包部材３０が挿入可能となる。この変形後の梱包部材３０の上に、外筒部材１０を被せるようにして配置し（図７）、外筒部材１０をさらに押し下げると、内挿部材２０が梱包部材３０に当接していることから、陳列補助部材４０及び商品（不図示）が外筒部材１０から上方へ突出してくる（図８）。図８の状態から外筒部材１０をさらに押し下げると、梱包部材３０が外筒部材１０の内部に完全に収まり、内挿部材２０も大部分が外筒部材１０から上方へ突出し、図１に示す陳列状態への変形が完了する。
【００２２】
このように、本実施形態の陳列台１は、簡単な作業だけで、陳列状態とすることができる。また、梱包状態では、商品等の陳列される物品も同梱することも可能であり、この場合、陳列状態に変形する作業中に物品を陳列し直す必要がなく、利便性の高いものである。
また、本実施形態では、当接部材として機能する梱包部材３０によって内挿部材２０を押し出すことによって、内挿部材２０が外筒部材１０から突出した位置まで移動させる構成とした。これにより、梱包状態での運搬を容易にすることができる上に、梱包状態よりも高い位置に物品を陳列することが可能となり、消費者等に訴求し易くなる。
【００２３】
次に、上記変形動作を可能とする本実施形態の陳列台１の各部材について、より詳しく説明する。
図９は、図１に示す陳列状態から、陳列補助部材４０を取り外した状態を示す斜視図である。
陳列補助部材４０は、段ボールではなく、厚紙を素材として用いており、中空の直方体を前方が低くなるように斜めに切断したような形状をしている。陳列補助部材４０は、内挿部材２０の保持部２０ａに収まることができる大きさであり、後壁部４１と、側壁部４２と、前壁部４３とを備えている。前壁部４３の高さは、後壁部４１よりも低く、側壁部４２は、前壁部４３と後壁部４１とのそれぞれの上端を結ぶ形状になっている。本実施形態では、陳列する商品として、縦方向に長く自立性した状態を維持しにくい商品を想定していることから、陳列補助部材４０を設けて、商品の自立を補助している。しかし、この陳列補助部材４０は、商品が安定的に自立可能な場合等には、省略してもよい。
【００２４】
図１０は、外筒部材１０を示す斜視図である。
図１１は、外筒部材１０の展開図を筒形状の内側から見た図である。
本実施形態では、外筒部材１０は、いずれも段ボールを素材とした第１外筒部材１１（図１１（ａ））と第２外筒部材１２（図１１（ｂ））とガイド部材１３、１４とを組み合わせて構成されている。
【００２５】
第１外筒部材１１は、外筒部材１０の３つの側壁を主に構成しており、両端に第２外筒部材１２と接続する糊代部１１ｃを有している。第１外筒部材１１の上端は、内側に折り返されて筒形状の内部側に接着された折り返し片１１ａ、１１ｂを有している。この折り返し片１１ａ、１１ｂを備えることにより、外筒部材１０の上端部に段ボールの切断面が露出することを防止でき、外観を良好にすることができ、さらに、強度の向上を図っている。
【００２６】
その一方で、折り返し片１１ａ、１１ｂが存在すると、内挿部材２０が外筒部材１０内を相対的に移動（実際には、外筒部材１０側が内挿部材２０に対して移動）するときに折り返し片１１ａ、１１ｂと外筒部材１０の内壁面との段差に当接して、スムーズな移動を阻害するおそれがある。そこで、外筒部材１０の内側には、折り返し片１１ａ、１１ｂと隣接して配置され、折り返し片１１ａ、１１ｂの厚みと同一厚みのガイド部材１３、１４が上下方向に延在して設けられている。よって、ガイド部材１３、１４の表面と折り返し片１１ａ、１１ｂの表面とは、略同一面となる。このガイド部材１３、１４の存在により、内挿部材２０は、外筒部材１０内における位置が規制され（ガイドされ）、移動するときに折り返し片１１ａ、１１ｂと外筒部材１０の内壁面との段差に当接してしまうことなく、スムーズな移動が可能である。
【００２７】
また、第２外筒部材１２にも、第１外筒部材１１と同様に、折り返し片１２ａが設けられており、また、ガイド部材１３も同様に設けられている。
なお、本実施形態では、部品サイズの都合により第１外筒部材１１と第２外筒部材１２とに分けて構成しているが、これらを一つの部材として構成してもよい。
【００２８】
図１２は、内挿部材２０を示す斜視図である。
図１３は、内挿部材２０を斜め下方から見上げた斜視図である。
図１４は、内挿部材２０を構成する部材を分解して斜め後方から見た分解斜視図である。
内挿部材２０は、いずれも段ボールを素材とした内挿本体２１と、天板部材２２と、梁部２３と、位置規制部材２４とを組み合わせて構成されている。内挿部材２０の上面側には、上方が開口した箱状の形態の保持部２０ａが形成されており、商品等の物品を保持可能である。
【００２９】
内挿本体２１は、内挿部材２０の前面と左右の両側面とを構成している。また、内挿本体２１は、前面の上端側が折り返された折り返し片２１ａと、側面の上端側が折り返された折り返し片２１ｂとを有している。また、内挿本体２１の後端部には、天板部材２２と接合される糊代部２１ｃが設けられている。
【００３０】
天板部材２２は、後壁部２２ａと、折り返し片２２ｂと、天板部２２ｃとを備えている。後壁部２２ａの両端には、内挿本体２１の糊代部２１ｃが接着されている。また、天板部材２２は、後壁部２２ａから折り返された折り返し片２２ｂを介して天板部２２ｃを有しており、物品を保持する保持部の主要部を構成している。この折り返し片２２ｂと、上述した折り返し片２１ａ及び折り返し片２１ｂを設けることにより、内挿部材２０の上端部に段ボールの切断面が露出することを防止でき、外観を良好にすることができ、さらに、強度の向上を図っている。
天板部２２ｃは、後述する梁部２３に支えられており、前方に形成された係合形状が内挿本体２１の折り返し片２１ａの下端の係合形状と係合することにより固定されている。なお、本実施形態では、天板部２２ｃは設置面（陳列台１を設置する床面等）に平行ではなく、前方が後方よりも高い斜面となっている。これは、陳列した商品等の物品が陳列補助部材４０の後壁部４１側へもたれ掛かるように促して、前方へ倒れてしまうことを防止するためである。先にも説明したように、本実施形態では、陳列する商品として、縦方向に長く自立性した状態を維持しにくい商品を想定していることから、このような構成としている。よって、商品が安定的に自立可能な場合等には、天板部２２ｃは設置面と平行に構成してもよい。
【００３１】
梁部２３は、保持部を形成する天板部２２ｃの下方に配置されており、当接部材としての梱包部材３０は、この梁部２３に当接する。梁部２３は、前方の糊代部２３ａが内挿本体２１に接着され、後方の糊代部２３ｂが天板部材２２の後壁部２２ａに接着されている。
【００３２】
位置規制部材２４は、内挿本体２１の左右側面それぞれに貼り付けられている。位置規制部材２４は、第１外筒部材１１及びガイド部材１３、１４と同じ厚さの段ボールを用いて構成されている。
図１５は、外筒部材１０と内挿部材２０とを右側から見た図である。図１５では、外筒部材１０の折り返し片１１ｂとガイド部材１４を破線で示し、外筒部材１０内にある内挿部材を一点鎖線で示した。
内挿部材２０は、外筒部材１０の筒形状の延在方向（上下方向）に沿って移動可能な状態で配置されている。梱包部材３０を当接部材として用いて内挿部材２０の下端（梁部２３）に当接させて外筒部材１０を下方へ押し下げると、内挿部材２０が外筒部材１０に対して相対的に上方へ移動する。ここで、外筒部材１０の折り返し片１１ｂに位置規制部材２４が当接（図１５では、当接直前の状態を示している）するので、内挿部材２０が梱包部材３０から飛び出してしまうことを防止できる。このように、位置規制部材２４と折り返し片１１ｂとは、内挿部材２０が外筒部材１０の内部から所定位置以上突出しないように位置を規制する位置規制部を構成している。
このように、当接部材として用いられた梱包部材３０は、内挿部材２０に下方から当接して、接地面と内挿部材２０との間に介在し、内挿部材２０を下方から支持するので、内挿部材２０の接地面からの高さを決める。
【００３３】
内挿部材２０の高さ方向の寸法は、前記外筒部材１０の高さ方向の寸法よりも小さく構成されている。したがって、内挿部材２０が外筒部材１０の下方に位置することにより保持部２０ａの上方に物品を保持可能な空間を構成した収納状態とすることができる。
また、内挿部材２０の前後方向の幅、及び、左右方向の幅は、外筒部材１０の折り返し片１１ａ，１１ｂの内壁面、及び、ガイド部材１３、１４の内壁面に略接触して移動可能な寸法に構成されている。すなわち、内挿部材２０は、外筒部材１０内を余計なガタがなく、かつ、スムーズに移動することができるように前後方向の幅、及び、左右方向の幅が決められている。
【００３４】
図１６は、梱包部材３０の展開図を内面側から見た図である。
梱包部材３０は、上方の上側フラップ３１に面ファスナー３２が取り付けられており、上側フラップ３１を内側へ折り畳んだ時に面ファスナー３２が当接する位置に、面ファスナー３３が取り付けられている。同様に、梱包部材３０は、下方の下側フラップ３４に面ファスナー３５が取り付けられており、下側フラップ３４を内側へ折り畳んだ時に面ファスナー３５が当接する位置に、面ファスナー３６が取り付けられている。これら面ファスナー３２、３３、３５、３６によって、フラップを梱包部材３０の側壁に保持するフラップ保持部としている。
また、梱包部材３０には、４つの側面それぞれの略中央に、上下方向に延在する折り曲げ予定線３７が設けられている。この折り曲げ予定線３７は、他の部位よりも折り曲げやすくするために、例えば部分的に半切断（切り込み）を設けることにより構成することができる。この折り曲げ予定線３７を設けることにより、梱包部材３０を図６の形態に変形させることを容易に行うことができる。
【００３５】
以上説明したように、第１実施形態によれば、陳列台は、梱包部材３０から取り出して、簡単な作業によって、外筒部材１０内から内挿部材２０を突出させて、陳列状態とすることができる。特に、本実施形態では、商品を同梱した状態のまま、梱包状態から陳列状態へと変形することができ、利便性が高い。また、本実施形態では、梱包部材３０を変形させて当接部材としての機能を発揮させ、この変形後の梱包部材３０によって内挿部材２０を外筒部材１０内から突出させるので、梱包部材３０を廃棄することなく、有効に利用可能である。
【００３６】
（第２実施形態）
図１７は、第２実施形態の陳列台１Ｂについて、梱包部材５０を開封した状態で示す斜視図である。
図１８は、第２実施形態の陳列台１Ｂについて、梱包部材５０に梱包されていた部材と取り出した状態を示す斜視図である。
第２実施形態の陳列台１Ｂは、梱包部材５０は、梱包専用として利用し、当接部材６０を新たに加えた点、及び、陳列補助部材４０を省略した点が第１実施形態と異なる他は、第１実施形態と同様な形態をしている。よって、前述した第１実施形態と同様の機能を果たす部分には、同一の符号を付して、重複する説明を適宜省略する。
【００３７】
梱包部材５０は、通常の段ボール箱であり、内部には、外筒部材１０と、内挿部材２０と、商品等の物品（不図示）と、当接部材６０とが梱包されている。梱包部材５０は、開封後は利用しない。
【００３８】
図１９は、当接部材６０の組み立て前の状態を示す斜視図である。
図２０は、当接部材６０を組み立てた状態を示す斜視図である。
当接部材６０は、２枚の段ボールにより構成されている。当接部材６０は、中央で折り畳み可能になっており、所定角度開いた状態で、スリット６１を組み合わせることにより、図２０に示す形態に組み立てられる。
【００３９】
図２１は、当接部材６０が内挿部材２０を押し出す過程を示す斜視図である。
組み立てられた当接部材６０は、第１実施形態の梱包部材３０を当接部材として利用していた場合と同様にして利用され、内挿部材２０を外筒部材１０から押し出すことができる。
【００４０】
第２実施形態によれば、当接部材６０は、専用の部材として構成されているので、外筒部材１０内への挿入をより簡単に行うことができる。
【００４１】
（変形形態）
以上説明した実施形態に限定されることなく、種々の変形や変更が可能であって、それらも本発明の範囲内である。
【００４２】
（１）第１実施形態において、上側フラップ３１及び下側フラップ３４を折り畳んだ状態に保持するために面ファスナーを利用する例を挙げて説明した。これに限らず、例えば、両面テープを用いてもよいし、フラップの一部を側面に差し込む等して係合させる形態としてもよいし、その他の手段によってフラップを折り畳んだ状態に保持してもよい。
【００４３】
（２）各実施形態において、内挿部材２０にさらに別部材を取り付ける等して、訴求面（広告表示面等）を追加してもよい。例えば、内挿部材２０が外筒部材１０内から突出することによって、大面積の板状のフラップが前方等に展開するように構成してもよい。
【００４４】
（３）各実施形態において、段ボール及び厚紙を素材として利用する例を挙げて説明した。これらに限らず、例えば、樹脂板や樹脂シート、金属板、木材等を用いてもよい。
【００４５】
（４）各実施形態において、梱包部材３０、又は、当接部材６０が内挿部材２０を相対的に押し上げる位置では、折り返し片１１ｂに位置規制部材２４が当接する例を挙げて説明した。これに限らず、例えば、当接部材が内挿部材を相対的に押し上げた位置であっても折り返し片１１ｂと位置規制部材２４との間に間隔が空くように構成してもよい。この場合、当接部材の高さを変えることにより、内挿部材２０が外筒部材１０から突出する量を変えることができる。
【００４６】
（５）各実施形態において、内挿部材２０が外筒部材１０より突出した位置まで移動する例を挙げて説明した。これに限らず、例えば、内挿部材２０が移動する位置は、外筒部材１０から突出しない位置であってもよい。この場合、内挿部材は天板部と位置規制部が設けられていればよく、内挿部材の天板部と外筒部材で保持部を形成可能である。
【００４７】
なお、各実施形態及び変形形態は、適宜組み合わせて用いることもできるが、詳細な説明は省略する。また、本発明は以上説明した各実施形態によって限定されることはない。
【符号の説明】
【００４８】
１、１Ｂ  陳列台
１０    外筒部材
１１    第１外筒部材
１１ａ  折り返し片
１１ｂ  折り返し片
１１ｃ  糊代部
１２    第２外筒部材
１２ａ  折り返し片
１３、１４  ガイド部材
２０    内挿部材
２０ａ  保持部
２１    内挿本体
２１ａ  折り返し片
２１ｂ  折り返し片
２１ｃ  糊代部
２２    天板部材
２２ａ  後壁部
２２ｂ  折り返し片
２２ｃ  天板部
２３    梁部
２３ａ、２３ｂ  糊代部
２４    位置規制部材
３０    梱包部材
３１    上側フラップ
３２、３３  面ファスナー
３４    下側フラップ
３５、３６    面ファスナー
３７    折り曲げ予定線
４０    陳列補助部材
４１    後壁部
４２    側壁部
４３    前壁部
５０    梱包部材
６０    当接部材
６１    スリット
【図１】
2020192111.tif 000003
【図２】
2020192111.tif 000004
【図３】
2020192111.tif 000005
【図４】
2020192111.tif 000006
【図５】
2020192111.tif 000007
【図６】
2020192111.tif 000008
【図７】
2020192111.tif 000009
【図８】
2020192111.tif 000010
【図９】
2020192111.tif 000011
【図１０】
2020192111.tif 000012
【図１１】
2020192111.tif 000013
【図１２】
2020192111.tif 000014
【図１３】
2020192111.tif 000015
【図１４】
2020192111.tif 000016
【図１５】
2020192111.tif 000017
【図１６】
2020192111.tif 000018
【図１７】
2020192111.tif 000019
【図１８】
2020192111.tif 000020
【図１９】
2020192111.tif 000021
【図２０】
2020192111.tif 000022
【図２１】
2020192111.tif 000023